(57)【要約】【課題】カートリッジ支持部材を装着位置から引出位置に斜め上方向に引き出し可能な画像形成装置において、ユーザにとって操作性がよい画像形成装置を提供すること。【解決手段】プリンタ１は、本体ケーシング２と、カートリッジ支持部材１０と、移動規制手段１００と、移動規制解除手段１０１を備える。カートリッジ支持部材１０は、複数のカートリッジ１３を支持して、本体ケーシング２に装着された装着位置から本体ケーシング２に対して複数のカートリッジを着脱するための引出位置に斜め上方向に引き出し可能である。移動規制手段１００は、カートリッジ支持部材１０の引出位置から装着位置への装着方向への移動を規制する規制状態と、カートリッジ支持部材１０の装着方向への移動の規制を解除する規制解除状態とに切替可能である。移動規制解除手段１０１は、カートリッジ支持部材１０の規制状態から規制解除状態へ切替える。【選択図】        図２（ａ）
2013020108.tif 000002
【特許請求の範囲】
【請求項１】
本体ケーシングと、
複数のカートリッジを支持して、前記本体ケーシングに装着された装着位置から前記本体ケーシングに対して前記複数のカートリッジを着脱するための引出位置に斜め上方向に引き出し可能であるカートリッジ支持部材と、
前記カートリッジ支持部材の前記引出位置から前記装着位置への装着方向への移動を規制する規制状態と、前記カートリッジ支持部材の前記装着方向への移動の規制を解除する規制解除状態とに切替可能である移動規制手段と、
前記カートリッジ支持部材の前記規制状態から前記規制解除状態へ切替えるための移動規制解除手段と、を備えることを特徴とする画像形成装置。
【請求項２】
前記移動規制手段は、前記本体ケーシングおよび前記カートリッジ支持部材のいずれか一方に設けられた係合部材と、前記本体ケーシングおよび前記カートリッジ支持部材のいずれか他方に設けられた被係合部材と、を備え、
前記係合部材が前記被係合部材と係合することで前記規制状態になり、前記係合を解除することで前記規制解除状態になることを特徴とする、請求項１に記載の画像形成装置。
【請求項３】
前記係合部材は、前記本体ケーシングに設けられ、前記被係合部材と係合する規制位置と、前記被係合部材との係合が解除される規制解除位置との間を変位可能であり、
前記移動規制手段は、前記係合部材を前記規制位置へ向けて付勢する付勢部材を有することを特徴とする、請求項２に記載の画像形成装置。
【請求項４】
前記移動規制解除手段は、前記本体ケーシングにおいて前記カートリッジ支持部材の引出方向と逆の方向へ押し込み操作可能な操作部を有し、
前記操作部が操作されているときは前記規制解除状態であり、前記操作部が操作されていないときは前記規制状態であることを特徴とする、請求項１から３のいずれか１項に記載の画像形成装置。
【請求項５】
前記係合部材は、前記カートリッジ支持部材において引出方向上流側に設けられ、上方へ突出した凸部を有し、
前記被係合部材は、前記本体ケーシングに設けられ、前記凸部と係合可能な凹部を有し、
前記凸部と前記凹部が係合することで前記規制状態になり、前記凸部と前記凹部の係合が解除されることで前記規制解除状態になることを特徴とする、請求項２に記載の画像形成装置。
【請求項６】
前記本体ケーシングは、前記カートリッジ支持部材の引出方向下流側において、支点を有し、
前記カートリッジ支持部材は、前記規制状態における規制位置と、前記規制解除状態における規制解除位置との間を、前記支点を回動の中心として、回動可能であることを特徴とする、請求項２または５に記載の画像形成装置。
【請求項７】
前記被係合部材は、前記カートリッジ支持部材の前記引出方向に沿って連続した複数の被係合部を有することを特徴とする、請求項２、３、５、６のいずれか１項に記載の画像形成装置。
【請求項８】
前記移動規制手段は、前記カートリッジ支持部材に設けられ、規制位置と規制解除位置との間を変位可能である摩擦部材と、前記摩擦部材を前記規制位置へ向けて付勢する付勢部材と、を有することを特徴とする、請求項１に記載の画像形成装置。
【請求項９】
前記カートリッジ支持部材は、前記カートリッジ支持部材の前記移動のときに回転する回転部材を有し、
前記摩擦部材が、前記回転部材と当接したときに前記規制状態になり、前記当接を解除したときに前記規制解除状態になることを特徴とする、請求項８に記載の画像形成装置。
【請求項１０】
前記本体ケーシングは、前記カートリッジ支持部材の前記移動を案内するガイド部を有し、
前記摩擦部材が、前記ガイド部と当接したときに前記移動規制状態になり、前記当接を解除したときに前記規制解除状態になることを特徴とする、請求項８に記載の画像形成装置。
【請求項１１】
前記移動規制解除手段は、前記カートリッジ支持部材において前記カートリッジ支持部材を引出す際に把持される把持部を有し、
前記把持部が把持されているときは前記規制解除状態であり、前記把持部が把持されていないときは前記規制状態であることを特徴とする、請求項８から１０のいずれか１項に記載の画像形成装置。
【請求項１２】
前記移動規制手段は、前記摩擦部材と前記把持部を連結する連結部材を有することを特徴とする、請求項１１に記載の画像形成装置。
【請求項１３】
前記移動規制解除手段は、前記カートリッジ支持部材において前記カートリッジ支持部材を引出す際に把持される把持部を有し、
前記把持部が把持されているときは前記規制解除状態であり、前記把持部が把持されていないときは前記規制状態であることを特徴とする、請求項１に記載の画像形成装置。
【発明の詳細な説明】
【技術分野】
【０００１】
本発明は、電子写真方式のカラープリンタなどの画像形成装置に関する。
【背景技術】
【０００２】
画像形成装置として、所定方向に並列配置された複数のカートリッジと、複数のカートリッジを支持するカートリッジ支持部材とを備える、カラーレーザプリンタが知られている。カートリッジ支持部材は、画像形成装置本体に装着された装着位置から画像形成装置本体に対して複数のカートリッジを着脱するための引出位置に引出可能である。また、各カートリッジは、カートリッジ支持部材が引出位置にあるときに、カートリッジ支持部材に対して着脱することができる。また、カートリッジ支持部材を装着位置から引出位置へ移動させるときに、水平面より斜め上方向に引き出すプリンタも提案されている。（特許文献１）
【先行技術文献】
【特許文献】
【０００３】
【特許文献１】特開２０１０−１０２３２１号公報
【発明の概要】
【発明が解決しようとする課題】
【０００４】
しかしながら、このような構成のプリンタでは、カートリッジ支持部材を引出位置へ移動させる途中で、ユーザがカートリッジ支持部材から手を離してカートリッジの交換をしようとすると、カートリッジ支持部材が自重で装着方向へと移動してしまうことが考えられる。すなわち、カートリッジ支持部材を引出方向へ移動させる途中で止めようとしても、自重で装着位置へ戻ってしまうことが考えられる。このような場合、ユーザが常にカートリッジ支持部材を把持している必要があり、使い勝手が悪い。
【０００５】
本発明の目的は、カートリッジ支持部材を装着位置から引出位置に斜め上方向に引き出し可能な画像形成装置において、ユーザにとって操作性がよい画像形成装置を提供することにある。
【課題を解決するための手段】
【０００６】
（１）前記した目的を達成するために、本発明の画像形成装置は、本体ケーシングと、カートリッジ支持部材と、移動規制手段と、移動規制解除手段を備える。
【０００７】
カートリッジ支持部材は、複数のカートリッジを支持して、本体ケーシングに装着された装着位置から本体ケーシングに対して複数のカートリッジを着脱するための引出位置に斜め上方向に引き出し可能である。
【０００８】
移動規制手段は、カートリッジ支持部材の引出位置から装着位置への装着方向への移動を規制する規制状態と、カートリッジ支持部材の装着方向への移動の規制を解除する規制解除状態とに切替可能である。
【０００９】
移動規制解除手段は、カートリッジ支持部材の規制状態から規制解除状態へ切替える。
【００１０】
（２）また、移動規制手段は、本体ケーシングおよびカートリッジ支持部材のいずれか一方に設けられた係合部材と、本体ケーシングおよびカートリッジ支持部材のいずれか他方に設けられた被係合部材と、を備え、係合部材が被係合部材と係合することで規制状態になり、係合を解除することで規制解除状態になることが好ましい。
【００１１】
（３）また、係合部材は、本体ケーシングに設けられ、被係合部材と係合する規制位置と、被係合部材との係合が解除される規制解除位置との間を変位可能であり、移動規制手段は、係合部材を規制位置へ向けて付勢する付勢部材を、有することが好ましい。
【００１２】
（４）また、移動規制解除手段は、本体ケーシングにおいてカートリッジ支持部材の引出方向と逆の方向へ押し込み操作可能な操作部を有し、操作部が操作されているときは規制解除状態であり、操作部が操作されていないときは規制状態であることが好ましい。
【００１３】
（５）また、係合部材は、カートリッジ支持部材において引出方向上流側に設けられ、上方へ突出した凸部を有し、被係合部材は、本体ケーシングに設けられ、凹部を有し、凸部と凹部が係合することで規制状態になり、凸部と凹部の係合が解除されることで規制解除状態になることが好ましい。
【００１４】
（６）また、本体ケーシングは、カートリッジ支持部材の引出方向下流側において、支点を有し、カートリッジ支持部材は、規制状態における規制位置と、規制解除状態における規制解除位置との間を、支点を回動の中心として、回動可能であることが好ましい。
【００１５】
（７）また、被係合部材は、カートリッジ支持部材の引出方向に沿って連続した複数の被係合部を有することが好ましい。
【００１６】
（８）また、移動規制手段は、カートリッジ支持部材に設けられ、規制位置と規制解除位置との間を変位可能である摩擦部材と、摩擦部材を規制位置へ向けて付勢する付勢部材と、を有することが好ましい。
【００１７】
（９）また、カートリッジ支持部材は、カートリッジ支持部材の移動のときに回転する回転部材を有し、摩擦部材が、回転部材と当接したときに規制状態になり、当接を解除したときに規制解除状態になることが好ましい。
【００１８】
（１０）また、本体ケーシングは、カートリッジ支持部材の移動を案内するガイド部を有し、摩擦部材が、ガイド部と当接したときに移動規制状態になり、当接を解除したときに規制解除状態になることが好ましい。
【００１９】
（１１）また、移動規制解除手段は、カートリッジ支持部材においてカートリッジ支持部材を引出す際に把持される把持部を有し、把持部が把持されているときは規制解除状態であり、把持部が把持されていないときは規制状態であることが好ましい。
【００２０】
（１２）また、移動規制手段は、摩擦部材と把持部を連結する連結部材を有することが好ましい。
【発明の効果】
【００２１】
（１）このように、構成された画像形成装置によれば、本体ケーシングと、複数のカートリッジを支持して、前記本体ケーシングに装着された装着位置から前記本体ケーシングに対して前記複数のカートリッジを着脱するための引出位置に斜め上方向に引き出し可能であるカートリッジ支持部材と、カートリッジ支持部材の引出位置から装着位置への装着方向への移動を規制する規制状態と、カートリッジ支持部材の装着方向への移動の規制を解除する規制解除状態とに切替可能である移動規制手段と、カートリッジ支持部材の規制状態から規制解除状態へ切替えるための移動規制解除手段と、を備える。
【００２２】
よって、ユーザがカートリッジの交換をする際、カートリッジ支持部材の移動を規制出来るため、ユーザにとって操作性がよい。
【００２３】
（２）移動規制手段は、本体ケーシングおよびカートリッジ支持部材のいずれか一方に設けられた係合部材と、本体ケーシングおよびカートリッジ支持部材のいずれか他方に設けられた被係合部材と、を備え、係合部材が被係合部材と係合することで規制状態になり、係合を解除することで規制解除状態になる場合、規制状態と規制解除状態との切り替えを比較的簡単な構成で実現出来る。
【００２４】
（３）係合部材は、本体ケーシングに設けられ、被係合部材と係合する規制位置と、被係合部材との係合が解除される規制解除位置との間を変位可能であり、移動規制手段は、係合部材を規制位置へ向けて付勢する付勢部材を、有する場合、係合部材は、付勢部材によって常に規制位置へ付勢されているので、基本的に規制位置に配置されている。よって、カートリッジ支持部材がユーザの意思に反して移動することがない。
【００２５】
（４）移動規制解除手段は、本体ケーシングにおいてカートリッジ支持部材の引出方向と逆の方向へ押し込み操作可能な操作部を有し、操作部が操作されているときは規制解除状態であり、操作部が操作されていないときは規制状態である場合、操作部を操作しないとカートリッジ支持部材は動かないので、カートリッジ支持部材がユーザの意思に反して移動することがない。
【００２６】
（５）係合部材は、カートリッジ支持部材において引出方向上流側に設けられ、上方へ突出した凸部を有し、被係合部材は、本体ケーシングに設けられ、凹部を有し、凸部と凹部が係合することで規制状態になり、凸部と凹部の係合が解除されることで規制解除状態にすることが出来る。
【００２７】
（６）本体ケーシングは、カートリッジ支持部材の引出方向下流側において、支点を有し、カートリッジ支持部材は、規制状態における規制位置と、規制解除状態における規制解除位置との間を、支点を回動の中心として、回動可能である場合、カートリッジ支持部材を回動させることで規制を解除できるため、構成を簡単に出来る。
【００２８】
（７）被係合部材は、カートリッジ支持部材の引出方向に沿って連続した複数の被係合部を有する場合、ユーザが操作部の操作をカートリッジ支持部材の装着方向への移動途中で止めても、何れかの被係合部材と係合部材が係合してカートリッジ支持部材の移動を規制することができる。
【００２９】
（８）移動規制手段は、カートリッジ支持部材に設けられ、規制位置と規制解除位置との間を変位可能である摩擦部材と、摩擦部材を規制位置へ向けて付勢する付勢部材と、を有する場合、摩擦部材は、付勢部材によって常に規制位置へ付勢されているので、基本的に規制位置に配置されている。よって、カートリッジ支持部材がユーザの意思に反して移動することがない。
【００３０】
（９）カートリッジ支持部材は、カートリッジ支持部材の前記移動のときに回転する回転部材を有し、摩擦部材が、回転部材と当接したときに規制状態になり、当接を解除したときに規制解除状態になる場合、規制状態と規制解除状態との切り替えを比較的簡単な構成で実現出来る。
【００３１】
（１０）本体ケーシングは、カートリッジ支持部材の移動を案内するガイド部を有し、摩擦部材が、ガイド部と当接したときに移動規制状態になり、当接を解除したときに規制解除状態になる場合、規制状態と規制解除状態との切り替えを比較的簡単な構成で実現出来る。
【００３２】
（１１）移動規制解除手段は、カートリッジ支持部材においてカートリッジ支持部材を引出す際に把持される把持部を有し、把持部が把持されているときは規制解除状態であり、把持部が把持されていないときは規制状態である場合、把持部を操作しないとカートリッジ支持部材は動かないので、カートリッジ支持部材がユーザの意思に反して移動することがない。
【００３３】
（１２）移動規制手段は、摩擦部材と把持部を連結する連結部材を有する場合、摩擦部材を設ける場所が制限されない。
【図面の簡単な説明】
【００３４】
【図１】画像形成装置の一例としてのプリンタの概略図である。
【図２（ａ）】カートリッジ支持部材が装着位置に位置するときの実施形態１に係るプリンタの模式図である。
【図２（ｂ）】カートリッジ支持部材が引出位置に位置し、かつ、カートリッジ支持部材が規制状態のときの実施形態１に係るプリンタの模式図である。
【図２（ｃ）】カートリッジ支持部材が引出位置に位置し、かつ、カートリッジ支持部材が規制解除状態のときの実施形態１に係るプリンタの模式図である。
【図２（ｄ）】カートリッジ支持部材の装着方向への移動途中において、カートリッジ支持部材が規制状態のときの実施形態１に係るプリンタの模式図である。
【図３（ａ）】カートリッジ支持部材のスライド移動の途中における規制状態のときの実施形態２に係るプリンタの模式図である。
【図３（ｂ）】カートリッジ支持部材のスライド移動の途中における規制解除状態のときの実施形態２に係るプリンタの模式図である。
【図４（ａ）】カートリッジ支持部材が規制状態のときの実施形態３に係るプリンタの模式図である。
【図４（ｂ）】カートリッジ支持部材が規制解除状態のときの実施形態３に係るプリンタ模式図である。
【図５】実施形態３における連結部材および把持部を抜き出した図である。
【図６】（ａ）カートリッジ支持部材が規制状態のときの、実施形態４における移動規制手段を説明するための図である。（ｂ）カートリッジ支持部材が規制解除状態のときの、実施形態４における移動規制手段を説明するための図である。
【発明を実施するための形態】
【００３５】
＜実施形態１＞
１．プリンタ全体の構成
本発明について、図面を参照して説明する。図１は、本発明の画像形成装置の一例としてのプリンタ１の一実施形態を示す概念図である。尚、紙面右側をプリンタ１における前側、紙面左側をプリンタ１における後側として、プリンタ１を前側から見たときをプリンタ１における左右の基準とする。各図には、前後上下左右の各方向を示す矢印が記載されている。
【００３６】
図１に示すように、プリンタ１は、本体ケーシング２内に、用紙Ｐを給紙するための給紙部３と、給紙された用紙Ｐに画像を形成するための画像形成部４と、用紙Ｐにトナーを定着させるための定着部５と、用紙Ｐを本体ケーシング２外へ排出するための排紙部６とを備えている。
【００３７】
給紙部３は、プリンタ１の最下部に設けられており、用紙Ｐを収容する収容カセット７と、用紙Ｐを送り出すピックアップローラ８とを備えている。そして、収容カセット７に収容された用紙Ｐは、ピップアップローラ８により、収容カセット７から１枚ずつ取り出され、搬送ローラ９等を介して画像形成部４に送られる。
【００３８】
画像形成部４は、カートリッジ支持部材１０と、露光部１１と、用紙搬送ベルト１２と、４つのプロセスカートリッジ１３とを備えている。
【００３９】
カートリッジ支持部材１０は、４つのプロセスカートリッジ１３を支持している。具体的には、前側から後側に向かって、マゼンダプロセスカートリッジ１３Ｍ、シアンプロセスカートリッジ１３Ｃ、イエロープロセスカートリッジ１３Ｙ、ブラックプロセスカートリッジ１３Ｋが順次配置されている。また、各プロセスカートリッジ１３は、内部にマゼンタ（Ｍ）、シアン（Ｃ）、イエロー（Ｙ）、及びブラック（Ｋ）の各色のトナーを収容している。また、各プロセスカートリッジ１３は、感光ドラム１４と、現像ローラ１５とを備えている。各感光ドラム１４は、各プロセスカートリッジ１３において、回転可能に支持され、略円筒形状の部材で構成されている。各現像ローラ１５は、各プロセスカートリッジ１３において、回転可能に支持され、各感光ドラム１４に対して上側から対向し、接触している。
【００４０】
露光部１１は、レーザー光を走査して、感光ドラム１４の表面へ照射する。露光部１１により、画像データに応じたレーザー光が感光ドラム１４の表面に照射されると、照射された部分の表面電位が低下することにより、感光ドラム１４の表面には、静電潜像が形成される。
【００４１】
用紙搬送ベルト１２は、前側から後側に向かうにつれて、下方へと傾斜している。用紙搬送ベルト１２は、用紙Ｐを上面に担持した状態で、一体的に走行するように無端状に構成され、駆動ローラ１６と従動ローラ１７に架け渡されている。用紙搬送ベルト１２は、駆動ローラ１６の回動により、感光ドラム１４と対向する側の表面が、前側から後側へと移動する。それに伴い、用紙Ｐが定着部５に送られる。
【００４２】
定着部５は、加熱ローラ１８と、加圧ローラ１９とを備えている。定着部５は、４色のトナー像を担持した用紙Ｐを、加熱ローラ１８及び加圧ローラ１９によって狭持搬送しながら加熱及び加圧することにより、トナー像を用紙Ｐに定着させる。トナー像が定着された用紙Ｐは、排紙部６へと送られる。
【００４３】
排紙部６は、排紙ローラ２０と、排紙トレイ２１とを備えている。排紙トレイ２１はプリンタ１の上面に設けられている。排紙ローラ２０は、用紙Ｐを定着部５から排紙トレイ２１へと搬送する。
【００４４】
２．移動規制手段および移動規制解除手段
図２（ａ）は、カートリッジ支持部材１０が装着位置に位置するときのプリンタ１の模式図である。図２（ｂ）は、カートリッジ支持部材１０が引出位置に位置し、かつ、カートリッジ支持部材１０が規制状態のときのプリンタ１の模式図である。図３（ｃ）は、カートリッジ支持部材１０が引出位置に位置し、かつ、カートリッジ支持部材１０が規制解除状態のときのプリンタの模式図である。図３（ｄ）は、カートリッジ支持部材１０の装着方向への移動途中において、カートリッジ支持部材１０が規制状態のときのプリンタ１の模式図である。尚、ここでは、左側壁の構成について説明するが、図示しない右側壁も左側壁と同様である。
【００４５】
本体ケーシング２は、ガイド部の一例としての上ガイド部４７および下ガイド部４８と、係合部材２２と、係合部材案内壁２４と、付勢部材の一例としてのバネ２５と、操作部２６と、操作部案内壁２７と、を備えている。
【００４６】
上ガイド部４７および下ガイド部４８は、本体ケーシング２の左右両側板において前後方向に沿って延びており、カートリッジ支持部材１０のスライド移動をガイドする。また、上ガイド部４７および下ガイド部４８は、用紙搬送ベルト１２の感光ドラム１４と対向する面と略平行であり、前側から後側に向かうにつれて下方へと傾斜し、プリンタ１の底面４０に対して約５度傾いている。
【００４７】
係合部材２２は、上ガイド部４７および下ガイド部４８よりも前方に設けられており、後述する被係合部材２３に係合するように配置されている。係合部材案内壁２４は、係合部材２２を上下方向にスライド可能に支持する。バネ２５は、係合部材２２を被係合部材２３に向けて付勢する。操作部案内壁２７は、操作部２６を前後方向にスライド可能に支持する。
【００４８】
カートリッジ支持部材１０は、前後方向に延びて係合部材２２が係合する被係合部材２３と、カートリッジ支持部材１０の引出方向上流側に設けられ回転部材の一例としてのコロ４９と、コロ４９の上方に配置された突出部５０とを有している。コロ４９は、回転自在であり、カートリッジ支持部材１０のスライド移動の際、下ガイド部４８に沿って回転しながら移動する。突出部５０は、被係合部材２３よりも上方へ突出しており、カートリッジ支持部材１０のスライド移動の際、上ガイド部４７に接触しながら移動する。カートリッジ支持部材１０は、コロ４９および突出部５０によって、上下方向の位置が規制されている。
【００４９】
係合部材２２、被係合部材２３、係合部材案内壁２４およびバネ２５は、実施形態１において移動規制手段１００を構成する。また、操作部２６および操作部案内壁２７は、実施形態１において移動規制解除手段１０１を構成する。
【００５０】
次に、移動規制手段１００と移動規制解除手段１０１の詳細について、図２（ｂ）の拡大図および図２（ｃ）の拡大図を用いて説明する。
【００５１】
まず、移動規制手段１００について説明する。
【００５２】
係合部材２２は、下方が楔形をした略矩形状に形成されている。また、係合部材２２は、前方を向いて上下方向に延びる係合面３１と、後方を向いて上下方向に延びる後面２８と、係合面３１の下端と後面２８の下端とを連結する当接面３２と、係合面３１の上端と後面２８の上端とを連結するバネ固定面３０とを有している。係合面３１は、後方に窪んだ凹部２９を有する。凹部２９は、直方体形の窪みであり、凹部２９の上面における前端に、操作部２６と当接する角部３３を有する。当接面３２は、係合面３１の下端から後面２８の下端に向かうにしたがって上方に延びている。すなわち、係合面３１と当接面３２とのなす角度は、鋭角である。
【００５３】
被係合部材２３は、前後方向に延びる基部３４と、基部３４の上方に形成されて前後方向に隙間なく並べられた複数個の被係合部３５とを有している。被係合部３５は、前側において上下方向に延びる被係合面３５ａと、被係合面３５ａの下端から後方へ延び、隣接する後方の被係合部３５の被係合面３５ａの上端と連結されている被当接面３５ｂとを有している。カートリッジ支持部材１０の装着方向への移動は、係合部材２２の係合面３１が被係合部材２３の被係合面３５ａと係合することにより禁止される。被当接面３５ｂは、係合部材２２の当接面３２と当接する。
【００５４】
係合部材案内壁２４は、上下方向に伸びる第１係合部材案内壁３６と、第１係合部材案内壁３６の前方において間隔を隔てて対向するとともに上下方向に延びる第２係合部材案内壁３７と、第１係合部材案内壁３６の上端と第２係合部材案内壁３７の上端を結合する第３係合部材案内壁３８とを有している。係合部材案内壁２４は、第１係合部材案内壁３６と第２係合部材案内壁３７との間で、係合部材２２を上下方向にスライド可能に支持している。第２係合部材案内壁３７には、角部３３と操作部２６とを当接させるための開口４５が形成されている。
【００５５】
バネ２５は、一端が係合部材２２のバネ固定面３０に固定され、他端が第３係合部材案内壁３８に固定されており、係合部材２２を下方、つまり被係合部材２３へ向かう方向へ付勢している。
【００５６】
次に、移動規制解除手段１０１について説明する。
【００５７】
操作部２６は、上端において前後方向に延びる上面４３と、下端において前後方向に延びる下面４４と、上面４３の前端と下面４４の前端とを連結する操作面３９と、上面４３の後端と下面４４の後端とを連結する持上面４２とを有している。操作面３９は、本体ケーシング２の前端から前方へ突出した位置に配置されている。ユーザは、操作面３９を押すことにより、操作部２６をカートリッジ支持部材の引出方向と逆の方向、すなわち後方へ押し込むことができる。持上面４２は、操作部２６のスライド移動可能な範囲において、係合部材２２の角部３３と常に当接するように配置されている。操作部２６と係合部材２２は、持上面４２と角部３３との当接によって連動する。
【００５８】
また、操作部２６は、上面４３から上方へ突出した上突起４１ａと、下面４４から下方へ突出した下突起４１ｂとを有している。
【００５９】
操作部案内壁２７は、係合部材案内壁２４の開口４５から前方へむけて延設される上案内壁４６ａおよび下案内壁４６ｂを有している。上案内壁４６ａは、操作部２６がスライド移動する際、操作部２６の上面４３と接触する。下案内壁４６ｂは、操作部２６がスライド移動する際、操作部２６の下面４４をガイドする。上案内壁４６ａの前端と下案内壁４６ｂの前端は、操作部２６が後方に押し込まれる途中で、上突起４１ａおよび下突起４１ｂと当接する。操作部２６は、上突起４１ａおよび下突起４１ｂが操作部案内壁２７と当接することにより、スライド移動が規制される。
【００６０】
次に、移動規制手段１００および移動規制解除手段１０１の操作について説明する。
【００６１】
係合部材２２は、操作部２６が操作されていないとき、バネ２５によって付勢されて被係合部材２３に係合する規制位置（図２（ｂ）参照）に位置する。このとき、係合部材２２の係合面３１は、被係合部材２３の被係合面３５ａに対向接触している。操作部２６は、係合部材２２の角部３３に当接している持上面４２を介して前方へ付勢されている。カートリッジ支持部材１０は、係合部材２２が規制位置に位置しているため、装着方向（後方向）への移動が規制される規制状態におかれる。
【００６２】
操作部２６は、ユーザにより操作部２６が後方へ押し込まれると、上案内壁４６ａと上突起４１ａおよび下案内壁４６ｂと下突起４１ｂがそれぞれ接触することによって操作部２６の後方への移動が規制される位置まで、スライド移動する。このとき、係合部材２２は、操作部２６の持上面４２に当接している角部３３を介してバネ２５の付勢力に反する力がかかることによって、操作部２６のスライド移動に連動して、被係合部材２６と係合しない規制解除位置（図２（ｃ）参照）にスライド移動する。カートリッジ支持部材１０は、係合部材２２が規制解除位置に位置しているため、装着方向への移動の規制が解除された規制解除位置におかれる。尚、角部３３は、係合部材２２が規制位置から規制解除位置に移動するとき、操作部２６の持上面４２の下部から上部に向かって徐々に移動する。そして、操作部２６は、角部３３の移動に連動して、凹部２９の間へ徐々に移動する。
【００６３】
３．カートリッジ支持部材のスライド移動次に、カートリッジ支持部材１０の装着位置と引出位置との間のスライド移動について、図２（ａ）から図２（ｄ）を参照して説明する。
始めに、図２（ａ）に示すカートリッジ支持部材１０の装着位置から図２（ｂ）に示す引出位置に移動させる動作について説明する。
【００６４】
カートリッジ支持部材１０は、ユーザがカートリッジ支持部材１０の前部を把持して前方向へ引き出すことにより、装着位置から引出位置に移動される。このとき、係合部材２２は、被係合部材２３に係合している。しかしながら、カートリッジ支持部材１０の前方向への移動は、被係合部材２３の被当接面３５ｂが前下方に向かって傾斜していることから、係合部材２２が被係合部材２３を乗り越えて移動することができるため規制されない。よって、ユーザは、操作部２６を操作することなく、カートリッジ支持部材１０を引出方向へ移動させることができる。
【００６５】
また、カートリッジ支持部材１０は、ユーザが引出方向への操作をやめたとき、係合部材２２が被係合部材２３に係合されて規制状態におかれる。これにより、ユーザがカートリッジ支持部材１０から手を離しても、カートリッジ支持部材１０が装着方向へ戻ってしまうことを防止できる。
【００６６】
次に、図２（ｂ）に示すようなカートリッジ支持部材１０の引出位置に示す状態から図２（ａ）に示す装着位置に移動させる動作について説明する。
【００６７】
引出位置におけるカートリッジ支持部材１０（または、カートリッジ交換位置におけるカートリッジ支持部材１０）は、係合部材２２と被係合部材２３が係合しているため、装着方向への移動が規制されている。これは、カートリッジ支持部材１０を装着方向へ移動させようとすると、装着方向と略直交する被係合部材２３の被係合面３５ａと係合部材の係合面３１とが当接するためである。カートリッジ支持部材１０は、ユーザが操作部２６を後方へ押し込むと、係合部材２２と被係合部材２３との係合が解除されてカートリッジ支持部材１０が規制解除状態におかれることにより、装着方向への移動が可能となる。
【００６８】
ただし、カートリッジ支持部材１０は、ユーザがカートリッジ支持部材１０の装着動作途中に操作部２６の操作を解除すると、係合部材２２は何れかの被係合部３５と係合して、装着方向への移動が規制される（図２（ｄ）参照）。よって、ユーザは、カートリッジ支持部材１０を装着方向へ移動させる場合には、常に操作部２６を後方へ押し込んでおかなければならない。
【００６９】
４．作用効果
（１）以上のように、プリンタ１は、本体ケーシング２と、複数のプロセスカートリッジ１３を支持して、本体ケーシング２に装着された装着位置から本体ケーシング２に対して複数のプロセスカートリッジ１３を着脱するための引出位置との間をスライド移動可能であるカートリッジ支持部材１０と、カートリッジ支持部材１０の装着方向への移動を規制する規制状態と、カートリッジ支持部材１０の装着方向への移動の規制を解除する規制解除状態とに切替可能である移動規制手段１００と、カートリッジ支持部材１０の規制状態から規制解除状態へ切替えるための移動規制解除手段１０１と、を備えている。
【００７０】
その結果、ユーザがプロセスカートリッジ１３の交換をする際、カートリッジ支持部材１０をユーザが把持していなくても、カートリッジ支持部材１０が重力により装着方向へ移動することを規制できる。よって、ユーザにとって操作性がよい。
【００７１】
（２）また、移動規制手段１００は、本体ケーシング２に設けられた係合部材２２と、カートリッジ支持部材１０に設けられた被係合部材２３と、を備え、係合部材２２が被係合部材２３と係合することで規制状態になり、係合を解除することで、規制解除状態になる。
【００７２】
その結果、規制状態と規制解除状態との切り替えを比較的簡単な構成で実現出来る。
【００７３】
（３）また、係合部材２２は、本体ケーシング２に設けられ、被係合部材２３と係合する規制位置と、被係合部材２３との係合が解除される規制解除位置との間を変位可能であり、移動規制手段１００は、係合部材２２を規制位置へ向けて付勢するバネ２５を、有する。
【００７４】
その結果、係合部材２２は、バネ２５によって常に規制位置へ付勢されているので、基本的に規制位置に配置されている。よって、カートリッジ支持部材１０がユーザの意思に反して移動することがない。
【００７５】
（４）また、移動規制解除手段１０１は、本体ケーシング２においてカートリッジ支持部材１０の引出方向と逆の方向へ押し込み操作可能な操作部２６を有し、操作部２６が操作されているときは規制解除状態であり、操作部２６が操作されていないときは規制状態である。
【００７６】
その結果、操作部２６を操作しないとカートリッジ支持部材１０は動かないので、カートリッジ支持部材１０がユーザの意思に反して移動することがない。
（５）また、被係合部材２３は、カートリッジ支持部材１０の引出方向に沿って、複数の連続する被係合部３５を有している。
【００７７】
その結果、ユーザが操作部２６の操作をカートリッジ支持部材１０の装着方向への移動途中で止めても、被係合部材３５の何れかの被係合部材３５と係合部材２２が係合してカートリッジ支持部材１０の移動を規制することができる。
【００７８】
＜実施形態２＞
次に、実施形態２について説明する。
【００７９】
図３（ａ）は、カートリッジ支持部材１０のスライド移動の途中における規制状態のときのプリンタ１の模式図である。図３（ｂ）は、カートリッジ支持部材１０のスライド移動の途中における規制解除状態のときのプリンタ１の模式図である。尚、ここでは、左側壁の構成について説明するが、図示しない右側壁も左側壁と同様である。また、実施形態１と同様の部分については、同一の符号を符し、詳細な説明な省略するものとする。
【００８０】
カートリッジ支持部材１０は、係合部材５１と、コロ４９とを備えている。
【００８１】
係合部材５１は、後述する被係合部材５２とともに、実施形態２における移動規制手段１０２を構成している。
【００８２】
係合部材５１は、カートリッジ支持部材１０の左右方向両端において前後方向に延びる基部５３ａと、基部５３ａの上側後方において上方へ突出した突出部５３ｂを有している。突出部５３ｂは、コロ４９の上方に配置されている。また、突出部５３ｂは、最も突出した頂部５３ｃと、頂部５３ｃから前方へ向かうに従って下方へ伸びる第１係合面５４と、頂部５３ｃから後方へ向かうに従って下方へ伸びる第２係合面５５とを有している。
【００８３】
本体ケーシング２は、カートリッジ支持部材１０のスライド移動をガイドする下ガイド部５９と、本体ケーシング２の側板前方に設けられた支点６０と、下ガイド部５９と上下方向において対向する被係合部材５２と、を備えている。
【００８４】
被係合部材５２は、前後方向において隙間なく形成された複数の凹部５６を有している。各凹部５６は、当該凹部５６の前方に形成された第１被係合面５７と、当該凹部５６の後方に形成された第２被係合面５８とを有している。凹部５６の第１被係合面５７は、突出部５３ｂの第１係合面５４と係合する。凹部５６の第２被係合面５８は、突出部５３ｂの第２係合面５５と係合する。カートリッジ支持部材１０は、係合部材５１と被係合部材５２が係合することにより、装着方向および引出方向への移動が規制される規制状態になる。
【００８５】
下ガイド部５９は、前後方向に沿って延び、カートリッジ支持部材１０のスライド移動の際、コロ４９と接触している。また、下ガイド部５９は、上下方向において、被係合部材５２と対向している。
【００８６】
支点６０は、カートリッジ支持部材１０が回動する際に、カートリッジ支持部材１０の左右方向端部と接触して、回動の中心となる。また、支点６０は、下ガイド部５９よりも前方に位置し、カートリッジ支持部材１０がスライド移動する際に、常に、カートリッジ支持部材１０の左右方向端部と接触している。
【００８７】
また、図３（ｂ）の拡大図に示すように、下ガイド部５９と被係合部材５２の凹部５６の上端との対向間隔Ｌ１は、ころ４９の下端から係合部材５１の頂部５３ｃまでの距離Ｌ２より大きい。これにより、カートリッジ支持部材１０は、上下方向に多少自由に動くことができる。具体的には、カートリッジ支持部材１０は、支点６０を回動の中心として回動することができる。
【００８８】
カートリッジ支持部材１０は、支点６０を回動中心として左側面視時計周りに回転することにより、係合部材５１が被係合部材５２と係合する規制位置に位置し、規制状態となる（図３（ａ））。
【００８９】
カートリッジ支持部材１０は、支点６０を回動中心として左側面視反時計周りに回転することにより、係合部材５１が被係合部材５２との係合が解除される規制解除位置に位置し、規制解除状態になる（図３（ｂ））。
【００９０】
この回動動作はユーザが把持部６１を把持することによって行う。すなわち、実施形態２における移動規制解除手段１０３とは、把持部６１である。
【００９１】
次に、カートリッジ支持部材１０のスライド移動および移動規制手段１０２と移動規制解除手段１０３の操作について説明する。
【００９２】
ユーザは、カートリッジ支持部材１０を装着方向もしくは引出方向へ移動させるとき、カートリッジ支持部材１０の前端に設けられた把持部６１を把持する。そして、係合部材５１の突出部５３ｂは、ユーザが把持部６１を把持した状態でカートリッジ支持部材１０を装着方向もしくは引出方向へ移動させると、被係合部材５２の凹部５６と係合しない。従って、カートリッジ支持部材１０は、スライド移動が規制されず、スライド移動が可能である。
【００９３】
次に、カートリッジ支持部材１０の装着位置から引出位置への移動途中または引出位置から装着位置への移動途中で、把持部６１からユーザが手を離した場合について説明する。
【００９４】
カートリッジ支持部材１０は、カートリッジ支持部材１０の移動途中（図３（ｂ）の状態）でユーザが把持部６１から手を放すと、支点６０を回動の中心として左側面視時計周りに回動する。カートリッジ支持部材１０は、この回動によって、支点６０より後側の部分が上方へと移動し、係合部材５１と被係合部材５２が係合する（図３（ａ）の状態）。このようにして、カートリッジ支持部材１０のスライド移動は、規制された状態となる。規制状態のカートリッジ支持部材１０は、ユーザが把持部６１を上方（図３（ａ）矢印方向）に持ち上げることにより、コロ４９が下ガイド部５９と接触して、再度スライド移動可能になる。係合部材５１は、このカートリッジ支持部材１０の回動により、被係合部材５２との係合が解除される。
【００９５】
以上のような構成によれば、移動規制手段１０２は、カートリッジ支持部材１０に設けられた係合部材２２と、本体ケーシング２に設けられた被係合部材２３と、を備え、係合部材２２が被係合部材２３と係合することで規制状態になり、係合を解除することで規制解除状態になる。
【００９６】
その結果、規制状態と規制解除状態との切り替えを比較的簡単な構成で実現出来る。  また、本体ケーシング２は、カートリッジ支持部材１０の引出方向下流側において、支点６０を有し、カートリッジ支持部材１０は、規制状態における規制位置と、規制解除状態における規制解除位置との間を、支点６０を回動の中心として、回動可能である。
【００９７】
その結果、カートリッジ支持部材１０を回動させることで規制を解除できるため、構成を簡単に出来る。
【００９８】
＜実施形態３＞
次に、実施形態３について説明する。
【００９９】
図４（ａ）は、カートリッジ支持部材１０が規制状態のときのプリンタ１の模式図である。図４（ｂ）は、カートリッジ支持部材１０が規制解除状態のときのプリンタ１の模式図である。図５は、連結部材および把持部を抜き出した図である。尚、ここでは、左側壁の構成について説明するが、図示しない右側壁も左側壁と同様である。また、実施形態１と同様の部分については、同一の符号を符し、詳細な説明は省略するものとする。
【０１００】
カートリッジ支持部材１０は、左右方向両端部において前後方向に延びる基部１０４ａと、摩擦部材６２と、摩擦部材６２をコロ４９に向けて付勢する付勢部材の一例としてのバネ６３とを備える。基部１０４ａ、摩擦部材６２およびバネ６３は、実施形態３における移動規制手段１０４を構成する。
【０１０１】
基部１０４ａは、摩擦部材６２を収容するために基部１０４ａの後方に形成された摩擦部材収容部６４と、バネ６３を収容するために摩擦部材６４の前方に形成されたバネ収容部６５とを有している。
【０１０２】
摩擦部材６２は、コロ４９の前側上方に設けられ、コロ４９と当接してコロ４９の回転を規制する規制位置（図４（ａ））と、コロ４９との当接が解除されてコロ４９の回転が規制されない規制解除位置（図４（ｂ））との間を移動可能である。規制解除位置は、規制位置に対して前方に配置されている。また、摩擦部材６２は、ゴムやコルクなど摩擦係数の高い材料で形成されている。また、摩擦部材６２は、コロ４９と当接する当接部６６と、当接部６６を固定する当接部固定板６７とを備えている。
【０１０３】
当接部６６は、上方に形成されて前後方向に延びる上面７０と、下方に形成されて前後方向に延びる下面７２と、上面７０の前端と下面７２の前端を連結する固定面６９と、上面７０の後端から下方に延びる後面７１と、後面７１の下端と下面７２の後端とを連結する当接面６８とを有している。当接面６８は、円弧状に形成され、コロ４９と当接する。当接部６６は、固定面６９において当接部固定板６７に固定されている。
【０１０４】
バネ６３は、一端が当接部固定板６７に固定され、他端がバネ収容部６５の前端部に固定されている。また、バネ６３は、摩擦部材６２を後方のころ４９へ向かう方向へ付勢している。
【０１０５】
摩擦部材収容部６４は、摩擦部材６２が前後方向に移動するために基部１０４ａに設けられた空間である。摩擦部材収容部６４の上端部は、摩擦部材６２のスライド移動の際に、当接部固定板６７と当接して摩擦部材６２をガイドしている。
【０１０６】
バネ収容部６５は、バネ６３を収容するために基部１０４ａに設けられた空間である。また、バネ収容部６５は、バネ６３が前後方向に伸縮するように、上下方向を規制しつつ前後方向にガイドしている。
【０１０７】
カートリッジ支持部材１０は、また、前端に設けられた把持部７３と、把持部７３と摩擦部材６２とを連結する連結部材７４と、を備えている。把持部７３および連結部材７４は、実施形態３における移動規制解除手段１０５を構成する。
【０１０８】
把持部７３は、カートリッジ支持部材１０の前端に設けられた固定把持部７９と、回動可能な移動把持部８０と、を有している。固定把持部７９は、移動把持部８０よりも前方に設けられ、カートリッジ支持部材１０をスライド移動する際にユーザに把持される。
【０１０９】
連結部材７４は、図５に示すように、把持部７３の上端において左右方向に延びる棒状の第１連結部７５と、第１連結部７５の左右端部付近から下方へ延びる第２連結部７６と、第２連結部７６の下端から後方に延びる第３連結部７８とを有している。第１連結部７５および第２連結部７６は、樹脂材料で形成されている。第３連結部は、移動規制手段１０４の基部１０４ａに沿って延びており、一端が第２連結部７６に固定され、他端が摩擦部材６２の当接部固定板６７に固定されている。また、第３連結部７８は、ワイヤで形成されている。
【０１１０】
把持部７３の移動把持部８０は、第１連結部７５から下方に延びており、第１連結部７５を支点として回動可能に構成されている。また、移動把持部８０は、ユーザがカートリッジ支持部材１０をスライド移動させる際に、固定把持部７９とともにユーザに把持されることにより、第１連結部７５を支点として前方へ回動して下端部が固定把持部７９に当接する（図４（ｂ）参照）。摩擦部材６２は、移動把持部８０が連結部材７４を介して摩擦部材６２と連結されているため、移動部材８０の前方への回動に連動して、前方へスライド移動する。
【０１１１】
次に、移動規制手段１０４および移動規制解除手段１０５の操作について説明する。
【０１１２】
摩擦部材６２は、把持部７３がユーザに把持されていないとき、バネ６３によって後方へ付勢されてコロ４９と当接する。カートリッジ支持部材１０は、摩擦部材６２がコロ４９と当接する規制位置に位置していることにより、規制状態となる。
【０１１３】
摩擦部材６２は、把持部７３がユーザに把持されて移動把持部８０が前方へ回動したとき、摩擦部材収容部６４の前端に当接する位置までスライド移動する。コロ４９は、摩擦部材６２の当接が解除されることにより、自由に回転できるようになる。カートリッジ支持部材１０は、摩擦部材６２がコロ４９に当接しない規制解除位置に位置していることにより、スライド移動可能な解除状態となる。
【０１１４】
次に、カートリッジ支持部材１０のスライド移動について説明する。
【０１１５】
ユーザは、カートリッジ支持部材１０を装着方向もしくは引出方向へ移動させるとき、カートリッジ支持部材１０の固定把持部７９および移動把持部８０を把持する。移動把持部８０は、ユーザの把持により、前方へ回動する。摩擦部材６２は、移動把持部８０の回動に連動して摩擦部材収容部６４の前端に当接する位置までスライド移動する。ユーザは、摩擦部材６２のスライド移動により摩擦部材６２がコロ４９から離れることにより、カートリッジ支持部材１０を装着方向もしくは引出方向へ移動させることができる。
【０１１６】
次に、装着位置から引出位置への移動途中または引出位置から装着位置への移動途中で把持部７３から手を離した場合について説明する。
【０１１７】
移動把持部８０は、カートリッジ支持部材１０の移動途中（図４（ｂ）の状態）でユーザが把持部７３から手を離したとき、バネ６３の付勢力により後方へ回動する。摩擦部材６２は、連結部材７４を介して移動把持部８０に連結されているため、移動把持部８０が後方へ回動すると同時に、後方へ移動してコロ４９と当接する。カートリッジ支持部材１０は、摩擦部材６２がコロ４９と当接することにより、規制状態となる（図４（ａ）の状態）。
【０１１８】
以上のような構成によれば、移動規制手段１０４は、カートリッジ支持部材１０に設けられ、規制位置と規制解除位置との間を変位可能である摩擦部材６２と、摩擦部材６２を規制位置へ向けて付勢するバネ６３と、を有する。
【０１１９】
その結果、摩擦部材６２は、バネ６３によって常に規制位置へ付勢されているので、基本的に規制位置に配置されている。よって、カートリッジ支持部材１０がユーザの意思に反して移動することがない。
【０１２０】
また、カートリッジ支持部材１０は、カートリッジ支持部材１０のスライド移動のときに回転するころ４９を有し、摩擦部材６２が、ころ４９と当接したときに規制状態になり、当接を解除したときに規制解除状態になる。
【０１２１】
その結果、規制状態と規制解除状態との切り替えを比較的簡単な構成で実現出来る。
【０１２２】
また、移動規制解除手段１０５は、カートリッジ支持部材１０においてカートリッジ支持部材１０を引出す際に把持される把持部７３を有し、把持部７３が把持されているときは規制解除状態であり、把持部７３が把持されていないときは規制状態である。
【０１２３】
その結果、把持部７３を操作しないとカートリッジ支持部材１０は動かないので、カートリッジ支持部材１０がユーザの意思に反して移動することがない。
【０１２４】
＜実施形態４＞
実施形態４は、実施形態３における移動規制手段１０４の変形例である。
【０１２５】
図６（ａ）は、カートリッジ支持部材１０が規制状態のときの移動規制手段１０６を説明するための図である。図６（ｂ）は、カートリッジ支持部材１０が規制解除状態のときの移動規制手段１０６を説明するための図である。なお、移動規制手段１０６以外は実施形態３と同様であるので、詳細な説明は省略する。
【０１２６】
カートリッジ支持部材１０は、コロ４９の前方に設けられた摩擦部材８１と、摩擦部材８１を上ガイド部４７に向けて付勢するバネ８２と、摩擦部材８１と把持部７３とを連結する連結部材８３と、バネ８２を収容するバネ収容部８４とを備えている。摩擦部材８１、バネ８２およびバネ収容部８４は、実施形態４における移動規制手段を構成する。
【０１２７】
摩擦部材８１は、カートリッジ支持部材１０の移動を規制する規制位置（図６（ａ））と、カートリッジ支持部材１０の移動の規制を解除した規制解除位置（図６（ｂ）との間を移動可能である。規制位置にある摩擦部材８１は、上ガイド部４７に当接している。規制解除位置にある摩擦部材８１は、上ガイド部４７との当接が解除され、規制位置から下方へ移動している。
【０１２８】
バネ８２の一端は、摩擦部材８１の下端に固定されている。バネ８２の他端は、バネ収容部８４の下端に固定されている。
【０１２９】
バネ収容部８４は、バネ８２を収容するためのスペースであり、バネ８２の左右方向の位置を規制している。
【０１３０】
カートリッジ支持部材１０は、実施形態３と同様の把持部７３をユーザが把持することにより、規制状態から規制解除状態になる。摩擦部材８１は、ユーザが連結部材８３と連結された把持部７３を把持することにより、下方へスライド移動する。これにより、カートリッジ支持部材１０は、スライド移動可能になる。
【０１３１】
また、実施形態３において、第３連結部７８をワイヤで形成したが、樹脂で形成してもよい。
【符号の説明】
【０１３２】
１      プリンタ
２      本体ケーシング
２２    係合部材（実施形態１）
２３    被係合部材（実施形態１）
２５    バネ（実施形態１）
２６    操作部（実施形態１）
４９    ころ
５１    係合部材（実施形態２）
５２    被係合部材（実施形態２）
６０    支点
６２    摩擦部材
６３    バネ（実施形態３）
７３    把持部
７４    連結部材
７９    固定把持部
８０    移動把持部
１００  移動規制手段（実施形態１）
１０１  移動規制解除手段（実施形態１）
１０２  移動規制手段（実施形態２）
１０３  移動規制解除手段（実施形態２）
１０４  移動規制手段（実施形態３）
１０５  移動規制解除手段（実施形態３）
１０６  移動規制手段（実施形態４）
【図１】
2013020108.tif 000003
【図２（ａ）】
2013020108.tif 000004
【図２（ｂ）】
2013020108.tif 000005
【図２（ｃ）】
2013020108.tif 000006
【図２（ｄ）】
2013020108.tif 000007
【図３（ａ）】
2013020108.tif 000008
【図３（ｂ）】
2013020108.tif 000009
【図４（ａ）】
2013020108.tif 000010
【図４（ｂ）】
2013020108.tif 000011
【図５】
2013020108.tif 000012
【図６】
2013020108.tif 000013